【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
照射された放射線の線量に応じた量の電荷を潜像電荷として蓄積する蓄電部を有し、放射線画像情報を前記蓄電部に静電潜像として記録する放射線固体検出器において、
記録用の放射線または該放射線の励起により発せられる光に対して透過性を有する第１の電極層、
前記記録用の放射線または前記光の照射を受けることにより導電性を呈する記録用光導電層、
読取用の電磁波の照射を受けることにより導電性を呈する読取用光導電層、
前記読取用の電磁波に対して透過性を有する第２の電極層を、この順に有して成り、
前記記録用光導電層と前記読取用光導電層との間に形成される前記蓄電部に蓄積された潜像電荷の量に応じたレベルの電気信号を出力させるための第１の導電部材が前記記録用光電層内の前記読取用光導電層に近接する位置に設けられていることを特徴とする放射線固体検出器。
【請求項２】
照射された放射線の線量に応じた量の電荷を潜像電荷として蓄積する蓄電部を有し、放射線画像情報を前記蓄電部に静電潜像として記録する放射線固体検出器において、
記録用の放射線または該放射線の励起により発せられる光に対して透過性を有する第１の電極層、
前記記録用の放射線または前記光の照射を受けることにより導電性を呈する記録用光導電層、
読取用の電磁波の照射を受けることにより導電性を呈する読取用光導電層、
前記読取用の電磁波に対して透過性を有する第２の電極層を、この順に有して成り、
前記記録用光導電層と前記読取用光導電層との間に形成される前記蓄電部に蓄積された潜像電荷の量に応じたレベルの電気信号を出力させるための第１の導電部材が前記記録用光電層の、前記読取用光導電層側の面に設けられていることを特徴とする放射線固体検出器。
【請求項３】
照射された放射線の線量に応じた量の電荷を潜像電荷として蓄積する蓄電部を有し、放射線画像情報を前記蓄電部に静電潜像として記録する放射線固体検出器において、
記録用の放射線または該放射線の励起により発せられる光に対して透過性を有する第１の電極層、
前記記録用の放射線または前記光の照射を受けることにより導電性を呈する記録用光導電層、
読取用の電磁波の照射を受けることにより導電性を呈する読取用光導電層、
前記読取用の電磁波に対して透過性を有する第２の電極層を、この順に有して成り、
前記記録用光導電層と前記読取用光導電層との間に形成される前記蓄電部に蓄積された潜像電荷の量に応じたレベルの電気信号を出力させるための第１の導電部材が前記第２の電極層内ないし前記第１の電極層と前記第２の電極層との間に設けられており、
前記第１の導電部材が、前記放射線固体検出器の第１の電極層と第２の電極層との間に印加される直流電圧によって両電極層間に形成される電界分布を調整するための制御電圧が印加されるものであることを特徴とする放射線固体検出器。
【請求項４】
照射された放射線の線量に応じた量の電荷を潜像電荷として蓄積する蓄電部を有し、放射線画像情報を前記蓄電部に静電潜像として記録する放射線固体検出器において、
記録用の放射線または該放射線の励起により発せられる光に対して透過性を有する第１の電極層、
前記記録用の放射線または前記光の照射を受けることにより導電性を呈する記録用光導電層、
読取用の電磁波の照射を受けることにより導電性を呈する読取用光導電層、
前記読取用の電磁波に対して透過性を有する第２の電極層を、この順に有して成り、
前記記録用光導電層と前記読取用光導電層との間に形成される前記蓄電部に蓄積された潜像電荷の量に応じたレベルの電気信号を出力させるための第１の導電部材が前記蓄電部と前記第２の電極層との間に設けられていることを特徴とする放射線固体検出器。
【請求項５】
前記第２の電極層をなす電極および前記第１の導電部材が、多数の線状電極から成るストライプ電極であり、前記第１の導電部材の線状電極が、前記第２の電極層をなす電極の線状電極に対して対向するように、または略直交するように、配設されていることを特徴とする１から４いずれか１項記載の放射線固体検出器。
【請求項６】
照射された放射線の線量に応じた量の電荷を潜像電荷として蓄積する蓄電部を有し、放射線画像情報を前記蓄電部に静電潜像として記録する放射線固体検出器において、
記録用の放射線または該放射線の励起により発せられる光に対して透過性を有する第１の電極層、
前記記録用の放射線または前記光の照射を受けることにより導電性を呈する記録用光導電層、
読取用の電磁波の照射を受けることにより導電性を呈する読取用光導電層、
前記読取用の電磁波に対して透過性を有する複数の線状電極からなる第１のストライプ電極を備えた第２の電極層を、この順に有して成り、
前記記録用光導電層と前記読取用光導電層との間に形成される前記蓄電部に蓄積された潜像電荷の量に応じたレベルの電気信号を出力させるための第１の導電部材が前記第２の電極層内に設けられており、
前記第１の導電部材が、前記読取用の電磁波に対して遮光性を有する複数の線状電極からなる第２のストライプ電極を備えたものであり、
前記第２のストライプ電極の線状電極が、該第２のストライプ電極の線状電極と前記第１のストライプ電極の線状電極とが交互に配置されるように設けられていることを特徴とする放射線固体検出器。
【請求項７】
前記蓄電部に、前記潜像電荷を同電位化せしめる第２の導電部材が、前記電気信号が表す画像の画素毎に、格別に、設けられていることを特徴とする請求項１から６いずれか１項記載の放射線固体検出器。
【請求項８】
前記潜像電荷に対しては略絶縁体として作用し、かつ、該潜像電荷と逆極性の電荷に対しては略導電体として作用する電荷輸送層を、前記記録用光導電層と前記読取用光導電層との間に有し、該電荷輸送層が前記蓄電部を形成するものであることを特徴とする請求項１から７いずれか１項記載の放射線固体検出器。
【請求項９】
前記潜像電荷を捕捉するトラップ層を、前記記録用光導電層と前記読取用光導電層との間に有し、該トラップ層が前記蓄電部を形成するものであることを特徴とする請求項１から７いずれか１項記載の放射線固体検出器。
【請求項１０】
請求項１から９いずれか１項記載の放射線固体検出器に放射線を照射して、該照射した放射線の線量に応じた量の電荷を前記放射線固体検出器の蓄電部に潜像電荷として蓄積せしめることにより、放射線画像情報を前記蓄電部に静電潜像として記録する放射線画像記録方法において、前記放射線固体検出器の第１の電極層と第２の電極層との間に印加される直流電圧によって両電極層間に形成される電界分布を調整するための制御電圧を前記第１の導電部材に印加することを特徴とする放射線画像記録方法。
【請求項１１】
放射線画像情報が静電潜像として記録された請求項１から９いずれか１項記載の放射線固体検出器から前記放射線画像情報を読み取る放射線画像読取方法において、前記放射線固体検出器の蓄電部に蓄積された潜像電荷に対応する電荷を前記第１の導電部材を介して読み出すことにより、前記潜像電荷の量に応じたレベルの電気信号を得ることを特徴とする放射線画像読取方法。
【請求項１２】
請求項１から９いずれか１項記載の放射線固体検出器に放射線を照射して、該照射した放射線の線量に応じた量の電荷を前記放射線固体検出器の蓄電部に潜像電荷として蓄積せしめることにより、放射線画像情報を前記蓄電部に静電潜像として記録する放射線画像記録装置において、
前記放射線固体検出器の第１の電極層と第２の電極層との間に直流電圧を印加する電圧印加手段と、
該電圧印加手段により印加される直流電圧によって両電極層間に形成される電界分布を調整するための制御電圧を前記第１の導電部材に印加する制御電圧印加手段とを備えたことを特徴とする放射線画像記録装置。
【請求項１３】
放射線画像情報が静電潜像として記録された請求項１から９いずれか１項記載の放射線固体検出器から前記放射線画像情報を読み取る放射線画像読取装置において、前記放射線固体検出器の蓄電部に蓄積された潜像電荷に対応する電荷を前記第１の導電部材を介して読み出すことにより、前記潜像電荷の量に応じたレベルの電気信号を得る画像信号取得手段を備えたことを特徴とする放射線画像読取装置。